(57)【要約】【課題】器具全体をコンパクト化でき、効率よく所望の範囲を照明できるとともに、確実にグレアカットできる照明器具を提供する。【解決手段】光源としてＬＥＤ光源ユニット３４を用いているので光源が小さく、制御性能が高いとともに、ＬＥＤ光源ユニット３４を収容する灯具３０および器具全体をコンパクト化できる。また、各灯具３０は、支持部材４０を介して筐体２０に照射方向を調整可能に取り付けられており、基準状態においては照射方向が下向きとなるように取り付けられているので、照明される床面等を効率よく照明することができる。【選択図】図１
2012104347.tif 000002
【特許請求の範囲】
【請求項１】
ＬＥＤ光源ユニットと、
前記ＬＥＤ光源ユニットを収容するとともに照射方向が調整可能な灯具と、
前記灯具を上下方向に複数個取り付ける支持部材と、
前記灯具および前記支持部材を収容する筐体と、を有し、
前記ＬＥＤ光源ユニットの照射方向が基準状態において下方に向いている照明器具。
【請求項２】
請求項１に記載の照明器具において、
前記ＬＥＤ光源ユニットは、下側のＬＥＤ光源ユニットほど後方に位置する照明器具。
【請求項３】
請求項１または請求項２に記載の照明器具において、
前記ＬＥＤ光源ユニットの前方には透光パネルが前記筐体に取り付けられており、
前記透光パネルは複数の前記ＬＥＤ光源ユニットに沿って前後に傾斜している照明器具。
【請求項４】
請求項１ないし請求項３のいずれか１項に記載の照明器具において、
前記支持部材は、複数の前記ＬＥＤ光源ユニットを一体的に取り付けるとともに、複数の前記ＬＥＤ光源ユニットが前後に傾斜するように傾斜している照明器具。
【発明の詳細な説明】
【技術分野】
【０００１】
本発明は、所望の範囲を照明するとともにグレアを防止できる照明器具に関するものである。
【背景技術】
【０００２】
従来より、所定の範囲を照らすとともにグレアを防止する照明器具として例えばスポットライトが用いられている（例えば、特許文献１参照）。
図４に示すように、特許文献１に記載の照明器具１００では、筐体１０１の内部にスライドボックス１０２が設けられ、筐体１０１の光出射側の前端部には集束レンズ１０３が取り付けられている。スライドボックス１０２内には、ランプ１０４およびこのランプ１０４を覆う楕円反射鏡１０５が設けられている。
【０００３】
そして、このスライドボックス１０２を集束レンズ１０３の光軸ＣＡに沿ってスライドすることで、ランプ１０４および楕円反射鏡１０５が共に互いの光学的関係を保った状態で、集束レンズ１０３に対して近接、離間するようになっている。また、スライドボックス１０２の集束レンズ１０３側の壁面部は直射光遮蔽板１０６として設けられており、この直射光遮蔽板１０６には、集束レンズ１０３の光軸ＣＡとの交差位置に開口部１０７が形成されている。
【０００４】
筐体１０１内に配置されたランプ１０４は、その発光部１０４Ａの中心を通る長軸が集束レンズ１０３の光軸ＣＡと略一致するように配置されている。楕円反射鏡１０５は、その長軸が光軸ＣＡと略一致するように配置されており、ランプ側の第１焦点Ｆ１がランプ１０４の発光部１０４Ａの位置と略一致するように、また、第２焦点Ｆ２が直射光遮蔽板１０６の開口部１０７の位置と略一致するようにそれぞれ設定されている。
これにより、所望の範囲に対する光利用効率を一層高めるとともに、照明器具１００の温度上昇をおさえている。
【先行技術文献】
【特許文献】
【０００５】
【特許文献１】特開２００４−３１０５６号公報（第１図）
【発明の概要】
【発明が解決しようとする課題】
【０００６】
しかしながら、前述した特許文献１に記載の照明器具１００においては、光源としてＨＩＤや無電極ランプ等のランプを用いているので、光源が大きく、制御性能が低いという問題があった。また、光源の外側に反射鏡１０５や筐体１０１を設けてグレアカットする必要があるので、器具効率が低いという問題があった。
【０００７】
本発明は、従来の問題を解決するためになされたもので、器具全体をコンパクト化でき、効率よく所望の範囲を照明できるとともに、確実にグレアカットできる照明器具を提供することを目的とする。
【課題を解決するための手段】
【０００８】
本発明の照明器具は、ＬＥＤ光源ユニットと、前記ＬＥＤ光源ユニットを収容するとともに照射方向が調整可能な灯具と、前記灯具を上下方向に複数個取り付ける支持部材と、前記灯具および前記支持部材を収容する筐体と、を有し、前記ＬＥＤ光源ユニットの照射方向が基準状態において下方に向いているものである。
【０００９】
また、本発明の照明器具は、前記ＬＥＤ光源ユニットは、下側のＬＥＤ光源ユニットほど後方に位置するものである。
【００１０】
また、本発明の照明器具は、前記ＬＥＤ光源ユニットの前方には透光パネルが前記筐体に取り付けられており、前記透光パネルは複数の前記ＬＥＤ光源ユニットに沿って前後に傾斜しているものである。
【００１１】
さらに、本発明の照明器具は、前記支持部材は、複数の前記ＬＥＤ光源ユニットを一体的に取り付けるとともに、複数の前記ＬＥＤ光源ユニットが前後に傾斜するように傾斜しているものである。
【発明の効果】
【００１２】
本発明は、光源としてＬＥＤ光源ユニットを用いているので光源が小さく、制御性能が高いとともに、ＬＥＤ光源ユニットを収容する灯具および器具全体をコンパクト化できる。また、各灯具は、支持部材を介して筐体に照射方向を調整可能に取り付けられており、基準状態においては照射方向が下向きとなるように取り付けられているので、照明される床面等を効率よく照明することができるという効果を有する照明器具を提供できる。
【図面の簡単な説明】
【００１３】
【図１】（Ａ）は本発明に係る実施形態の照明器具の正面図であり、（Ｂ）は（Ａ）中Ｂ−Ｂ位置の断面図
【図２】（Ａ）は灯具を上側から見た斜視図であり、（Ｂ）は灯具を下側から見た斜視図
【図３】（Ａ）は本発明に係る実施形態の照明器具を用いる踏み切りの平面図であり、（Ｂ）は側面図
【図４】従来のスポットライトの断面図
【発明を実施するための形態】
【００１４】
以下、本発明に係る実施形態の照明器具について、図面を用いて説明する。
図１に示すように、本発明に係る実施形態の照明器具１０は、例えば支柱１１に取り付けて使用することができ、踏切１２（図３参照）等を照明するのに用いられる。
【００１５】
照明器具１０は、取付ベルト１３等の取付具により支柱１１に取り付けられる箱状の筐体２０を有している。筐体は、支柱１１に取り付けられる背板２４と、背板２４の上端から前方に延びる天板２２と、背板２４の下端から前方に延びる底板２３と、背板２４の左右両端から前方に延びる側板２５，２６を有しており、前方が開口（開口部２１）した矩形箱状の部材である。
【００１６】
天板２２の前後方向サイズは底板２３の前後方向サイズよりも大きくなっており、側板２５，２６は、上側が下側よりも幅広となっている。従って、開口部２１は、上側が下側よりも前方に出ており、上下方向に沿って斜めに傾斜している。
筐体２０の開口部２１に沿って枠部材２１１が取り付けられており、枠部材２１１には透光パネル２７が取り付けられて開口部２１を覆っている。
従って、透光パネル２７は、上部が前方に出て、下部が後方に位置する。透光パネル２７を取り付けた状態で、筐体２０は、密閉され、防水性を有する。
【００１７】
筐体２０の内部には、支持部材４０が取り付けられている。支持部材４０は、全体として、筐体２０の開口部２１に平行、すなわち、上側が前方へ出て、下側が後方に位置するように傾斜している。支持部材４０は、複数個（ここでは、例えば４個）の灯具３０の数に対応した段数の階段状の灯具支持部４１を有し、上端および下端に設けられている取付部４２，４３を筐体２０に取り付ける。
従って、支持部材４０に取り付けられる灯具３０は、下側の灯具３０ほど後方に位置することになる。
なお、灯具支持部４１には、後述する灯具３０を取り付けるための開口（図示省略）が設けられている。
【００１８】
図２に示すように、灯具３０は、支持部材４０に取り付けられる枠体３１と、この枠体３１に対して回転可能に設けられた灯体３２とを有する。
枠体３１の照射方向先端（図２において下端）には、支持部材４０の前面に露出して取り付けられる鍔部材３１１を有しており、鍔部材３１１には枠体本体３１２が、回転機構（図示省略）を介して鍔部材３１１に対して回転可能に支持されている。
【００１９】
また、枠体本体３１２には、灯体３２が回転軸３３を中心として上下方向（図２中矢印Ａ方向）に回転可能に設けられる。
灯体３２は、照射方向前部にＬＥＤ光源ユニット３４を収容し、照射方向後部に放熱フィン３５を有する。すなわち、ＬＥＤ光源ユニット３４の上側に放熱フィン３５が一体的に取り付けられている。
【００２０】
従って、支持部材４０に固定されている鍔部材３１１に対して枠体本体３１２を回転させ、さらに、枠体３１２本体に対して回転軸３３回りに灯体３２を上下方向に回転させることにより、ＬＥＤ光源ユニット３４の照射方向（光軸Ｌ１）の方向を所望の方向へ向けることができる。
【００２１】
なお、支持部材４０の灯具支持部４１に灯具３０を取り付けた状態では、灯具支持部４１が傾斜しているため、ＬＥＤ光源ユニット３４の光軸Ｌ１は、灯体３２を上下方向へ回転させない基準位置において、下方（図１参照）に向いている。
また、灯具３０の前方である筐体２０の開口部２１には、透光パネル２７が設けられているが、支持部材４０とほぼ並行に取り付けられており、少なくとも灯体３２の回転時に干渉しない空間が確保されている。
【００２２】
図３には、前述した照明器具１０を用いた踏切１２が示されている。踏切１２において照明器具１０で照明したい照明領域Ｒは、例えば、幅Ｂ＝６０００（ｍｍ）の道路が，線路を横切る長さＬ＝７０００（ｍｍ）の矩形領域である。踏切１２における基準照度は、Ｅｈ≧２０（ｌｘ）、Ｕ０＝０．４である。
【００２３】
このため、照明器具１０を矩形の照明領域Ｒの対角の角部に２カ所に配置して、光軸Ｌ１を対角方向に向ける。このとき、内蔵されている４個の灯具３０の枠体本体３１２を各々回転させるとともに、枠体３１２本体に対して回転軸３３回りに灯体３２を上下方向に回転させることにより、照明領域Ｒを漏れなく照明するようにする。
さらに、電車の運転士の目に直射光が入らないように、照明器具１０を支柱１１の高所に設けて、下方に光軸Ｌ１を向ける。
【００２４】
以上、説明した本発明に係る実施形態の照明器具１０によれば、光源としてＬＥＤ光源ユニット３４を用いているので光源が小さく、制御性能が高いとともに、ＬＥＤ光源ユニット３４を収容する灯具３０および器具全体をコンパクト化できる。
また、各灯具３０は、支持部材４０を介して筐体２０に照射方向を調整可能に取り付けられており、基準状態においては照射方向が下向きとなるように取り付けられているので、照明される踏切１２等を効率よく照明することができる。
【００２５】
また、ＬＥＤ光源ユニット３４は、下側のＬＥＤ光源ユニット３４ほど後方に位置するように配置されているので、下方を照明する際に、下側のＬＥＤ光源ユニット３４が上側のＬＥＤ光源ユニット３４の光を遮って影ができるのを防止できる。
【００２６】
また、ＬＥＤ光源ユニット３４の前方に設けられている透光パネル２７は、複数のＬＥＤ光源ユニット３４に沿って前後に傾斜しているので、各ＬＥＤ光源ユニット３４との間隔を略一定に保持することができる。
また、透光パネル２７の下部と最下段のＬＥＤ光源ユニット３４との間隔が広がっていないので、最下段のＬＥＤ光源ユニット３４の下向きの光を遮らない大きさに設定しても、透光パネル２７を小さくすることができる。
【００２７】
さらに、複数のＬＥＤ光源ユニット３４が１個の支持部材４０に一体的に取り付けられるので、ＬＥＤ光源ユニット３４を筐体２０に取り付ける作業が容易になる。
また、複数のＬＥＤ光源ユニット３４を傾斜させて取り付ける際に、筐体２０の下部の厚さが薄くなるので、高所に取り付けた際に、圧迫感が無く、外観がよい。
【００２８】
なお、本発明の照明器具は、前述した実施形態に限定されるものでなく、適宜な変形，改良等が可能である。
例えば、前述した実施形態において、照明器具１０を踏切１２に適用した場合を例示したが、本発明はその他の場所にも適用可能である。
【符号の説明】
【００２９】
１０  照明器具
２０  筐体
２７  透光パネル
３０  灯具
３４  ＬＥＤ光源ユニット
４０  支持部材
【図１】
2012104347.tif 000003
【図２】
2012104347.tif 000004
【図３】
2012104347.tif 000005
【図４】
2012104347.tif 000006